(57)【要約】【課題】  ロール紙の空心部分が変形していても、空心受けに対してロール紙を軽快に繰り出せる横連設一体化ロール紙ホルダを提供すること。【解決手段】  横連設一体化ロール紙ホルダにおける左右二対の枢支体２にそれぞれ前後回動後対向復帰可能に枢支した二対のロール紙空心受け３の各対で、ロール紙４を一個ずつ回転可能に支持するロール紙ホルダを作るに当たり、前記枢支体２に取着して使用する枢支ポスト５の内側開放切欠５Ｃ内に基部６Ａを固定した先閉じ対向弾片６に空心受け３を被せて枢支ポスト５に枢支し、このポストの上部を前記各枢支体下部の結合部２Ａに結合することで、前記各枢支体２にロール紙空心受け３を互いに対向復帰可能に枢支してなり、各空心受け３に外筒７を回転可能に被せてその抜け止めを施した。【選択図】  図１
0003129674.tif 000002
【実用新案登録請求の範囲】
【請求項１】
横連設一体化ロール紙ホルダにおける左右二対の枢支体にそれぞれ前後回動後対向復帰可能に枢支した二対のロール紙空心受けの各対で、ロール紙を一個ずつ回転可能に支持するタイプのロール紙ホルダにおいて、前記各枢支体に取着して使用する枢支ポストの内側開放切欠内に基部を固定した先閉じ対向弾片に空心受けを被せてその基部を枢支ポストに枢支し、このポストの上部を前記各枢支体下部の結合部に結合することで、前記各枢支体にそれぞれロール紙空心受けを互いに対向復帰可能に枢支し、かつ各空心受けにそれぞれ外筒を回転可能に被せてその抜け止めを施した横連設一体化ロール紙ホルダ。
【請求項２】
横連設一体化ロール紙ホルダにおける左右二対の枢支体にそれぞれ前後回動後対向復帰可能に枢支した二対のロール紙空心受けの各対で、ロール紙を一個ずつ回転可能に支持するタイプのロール紙ホルダにおいて、前記空心受けを各枢支体に枢支するための枢支ポストの下部に内側開放の切欠を形成し、この切欠内に先閉じの対向弾片をその基部で軸支固定し、その上から空心受けの凹所を前記対向弾片に被せて空心受けをその基部における縦孔で枢支ポストに枢支すると共に、その上部を前記各枢支体下部に設けた結合部に結合することで、前記各各枢支体にそれぞれロール紙空心受けを互いに対向復帰可能に枢支し、かつ各空心受けにそれぞれ外筒を回転可能に被せてその抜け止めを施した横連設一体化ロール紙ホルダ。
【請求項３】
横連設一体化ロール紙ホルダにおける左右二対の枢支体に前後回動後対向復帰可能に枢支した二対のロール紙空心受けの各対で、回転可能に支持したロール紙の上部前寄り外周面に前記ホルダの後側枢支部で起伏可能に枢支した左右の紙切り板の前辺下面をそれぞれ対接し、この前辺下面を経て前方へ繰り出したロール紙繰り出し部を前記紙切り板の前辺刃先でカットできるロール紙ホルダにおいて、前記空心受けを各枢支体に枢支するための枢支ポストとして、下鍔と、その中心穴と、内側開放の切欠と、その反対側に形成した縦溝と、上部に係止片を対向突設した枢支ポストを用いる一方、基部、縦孔、後部止片を一体形成した先閉じの対向弾片を用意し、この弾片の前記基部をその縦孔に通した縦軸により、前記枢支ポストの切欠内でその中心穴に軸止すると共に、対向弾片の前記止片を枢支ポストの縦溝に係入することで、前記各枢支ポストに対して対向弾片の基部を不動に支持して対向復帰可能に突設し、また、前記対向弾片よりも一回り大きい凹所と縦孔とを有する空心受けを、その基部における縦孔で前記枢支ポストに枢支すると共に、これら各空心受けの前記凹所を前記対向弾片に被せた状態で、前記各枢支ポストの対向突片と前記縦軸の上部とをそれぞれ前記各枢支体下部の結合部に結合することで、前記各枢支体にそれぞれロール紙空心受けを互いに対向復帰可能に枢支し、かつ各空心受けにそれぞれ外筒を回転可能に被せてその抜け止めを施した横連設一体化ロール紙ホルダ。
【請求項４】
前記枢支体の下部に枢支ポストを結合するに当たり、枢支体の下部に突設した補強脚の下部対向間隙内に、前記枢支ポストの下鍔上に突設した突起を係入させることで、前記左右の枢支体に枢支ポストを補強した状態で結合してなる請求項１から請求項３までのいずれか一つの請求項に記載のロール紙ホルダ。
【請求項５】
前記枢支ポストの上部に対向突片を突設し、これら各突片の係止鉤片を前記枢支体下部の結合部に設けた係止溝に前記各突片の弾力に抗して係入し、原状復帰させて一発結合することで、前記空心受けと縦軸との抜け止めを施してなる請求項１から請求項４までのいずれか一つの請求項に記載のロール紙ホルダ。
【考案の詳細な説明】
【技術分野】
【０００１】
この考案は、最近出回り始めた内径約３０ｍｍ程度の比較的に大径の空心を有する芯管無しロール紙の空心、または現用一般のロール紙の芯管がそれぞれ不規則な非円形状に変形していても、各ロール紙の繰り出し回転を妨げずに使用できる横連設一体化ロール紙ホルダに関する。
【背景技術】
【０００２】
内径約３０ｍｍ程度で肉厚０．５ｍｍ程度の比較的に太い紙製芯管を有する現用一般のロール紙を回転可能に枢支するためのロール紙保持装置としては、従来、下記の特許文献１のように、左右二対の枢支体にそれぞれロール紙空心受けを自己対向復帰可能に枢支するための枢支ポストを結合するに当たり、これらの各枢支ポストにおける内側開放の切欠を設け、この切欠内に偏平Ｕ字状の先閉じ対向弾片を有する屈曲復元部材の基部を枢支固定して前記対向弾片を前記各枢支体にそれぞれ対向突設し、この対向弾片に前記空心受けの凹所を被せると共に、前記各枢支ポストにロール紙空心受けを枢支した後、この枢支ポストを空心受けと共に前記左右の枢支体にそれぞれ結合して備えた自己対向復帰可能に枢支した二対のロール紙保持装置が周知である。
【特許文献１】特開２００４−３２９３５４号公報
【０００３】
また、内径約６ｍｍ程度の中心細孔を有する芯管無しロール紙ホルダとしては、従来、例えば下記の特許文献２のように、芯管無しロール紙の中心細孔に無理に通した細い心棒で、ロール紙をホルダ枢支体に支持するタイプの平面ほぼコ字状の横連設一体化ロール紙ホルダにおける前記心棒の基部に取着した枢支筒を下鍔付きの枢軸に挿入し、この枢軸を前記枢支体の前寄り下部に下向きに突設固定することで、枢支体に対して心棒を前後方向に回動可能に片持ち枢支し、かつ、この心棒に肉厚１ｍｍ程度の外筒を滑り回転可能に被せた後、心棒に対する外筒の抜け止めを施した芯管無しロール紙ホルダも周知である。
【特許文献２】特開２００４−３５１０６６号公報
【考案の開示】
【考案が解決しようとする課題】
【０００４】
前記特許文献１は、内径約３０ｍｍ程度で肉厚０．５ｍｍ程度の比較的に太く、丸い紙製芯管を有する現用一般のロール紙を回転可能に枢支するためのロール紙保持装置だから、左右のロール紙空心受けは、ロール紙芯管の軸線を中心として回転しない構造であり、しかも、縦向き偏平の非円形状の空心受けを採用している。
【０００５】
また、現用一般のロール紙の芯管は、出荷時に丸くても、その流通過程で外力などの外乱や、湿気などにより、不規則な非円形状に変形し易いため、この変形した状態の芯管を前記特許文献１における縦向き偏平の非回転空心受けに通したロール紙は、その繰り出し使用時にロール紙の上記非円形芯管の膨出部分と、前記縦向き偏平の非回転空心受けとの間に強い擦過摩擦が生じたり、芯管の上記膨出部分に空心受けが引っ掛かったりして、肝心のロール紙の繰り出し回転を大きく阻害し、繰り出し途中のロール紙が千切れて使い物にならなくなる物も出てくるという本質的かつ、大きな問題点が有る。
【０００６】
また、前記特許文献１における前記縦向き偏平の非回転ロール紙空心受けで、最近多く出回り始めた内径約３０ｍｍ程度の前記不規則な非円形状に変形した大径の空心を有する芯管無しのロール紙を枢支して無理に使用した場合には、上記変形空心付近のロール紙自体が、縦向き偏平の非回転空心受けとの強い摩擦や、湿気による吸着力、または静電気吸着力により、ロール紙の繰り出し時に空心受けにきつく絡み付き易く、肝心のロール紙の繰り出し回転を大きく阻害し、繰り出し途中のロール紙が千切れたり、空心の上記変形程度が大きいロール紙では、空心の両側に生じた凹凸部分に縦向き偏平の非回転空心受けが引っ掛かり、ロール紙の繰り出しが不可能になって、使い物にならなくなるという本質的かつ、大きな問題点も有る。
【０００７】
次に、前記特許文献２における前記空心受け用の細長い心棒には、外筒を回転可能に被せてあり、この外筒を現用一般の芯管無しロール紙の直径約６ｍｍ程度の中心細孔に無理に通すことで、ロール紙の繰り出し回転に応じて上記外筒がロール紙空心軸線を中心に回転するため、ロール紙の繰り出し回転を阻害しないが、この特許文献２における細長い心棒に、最近多く出回り始めた内径約３０ｍｍ程度の空心を有する芯管無しのロール紙を枢支した場合には、上記外筒がロール紙の空心に対して細過ぎるので、肝心のロール紙の繰り出し回転を大きく阻害し、これまた使い物にならないという大きな問題点が有るし、心棒が自体が上記のように細長く、しかも片持ち枢支であるから、この枢支部分にテコの原理により、ロール紙交換などの途中に無理な応力が加わり易く、心棒の枢支部が損傷して使い物にならなくなる物も出てくるという本質的かつ、大きな問題点が有る。
【０００８】
本考案は、最近出回り始めた内径約３０ｍｍ程度の比較的に大径の空心を有する芯管無しロール紙の空心、または現用一般のロール紙の芯管がそれぞれ不規則な非円形状に変形していても、各ロール紙の繰り出し回転を妨げずに使用可能にすることを目的とする。
【課題を解決するための手段】
【０００９】
上記本考案の目的は、横連設一体化ロール紙ホルダにおける左右二対の枢支体に前後回動後対向復帰可能に枢支した二対のロール紙空心受けの各対で、ロール紙を一個ずつ回転可能に支持するタイプのロール紙ホルダを作るに当り、前記各枢支体に取着して使用する枢支ポストの内側開放切欠内に基部を固定した先閉じ対向弾片に空心受けを被せてその基部を枢支ポストに枢支し、このポストの上部を前記各枢支体下部の結合部に結合することで、前記各枢支体にそれぞれロール紙空心受けを互いに対向復帰可能に枢支し、各空心受けに外筒を回転可能に被せてその抜け止めを施したことで達成できた。
【考案の効果】
【００１０】
本考案における請求項１から請求項３までの各考案によれば、横連設一体化ロール紙ホルダに備えた左右二対のロール紙空心受けにそれぞれ外筒を回転可能に被せてその抜け止めを施したので、最近多く出回り始めた内径約３０ｍｍ程度の比較的に大径の空心を有する芯管無しのロール紙、または芯管を有する現用一般のロール紙を上記外筒に枢支して使用した場合、これら二種類のロール紙の上記空心や芯管が不規則形状に変形していても、ロール紙繰り出し時には、上記外筒がロール紙と共に回転するため、この回転外筒と上記変形空心や芯管との間には擦過摩擦や引っ掛かりが生じないから、ホルダの左右に枢支した上記二種類のロール紙を常に快適に繰り出し使用できる共に、上記外筒で空心受けの補強もできるという優れた効果が有る。
【００１１】
本考案における請求項４の考案によれば、前記諸効果に加え、枢支体の下部に枢支ポストを取着するに当たり、枢支体の下部に突設した例えば底面ほぼク字状の補強脚の下部対向間隙内に、前記枢支ポストの下鍔上に突設した突起を係入させることで、前記左右の枢支体に枢支ポストを補強した状態で取着できるという効果を付加できた。
【００１２】
また、本考案における請求項５の考案のように、前記枢支ポストの上部に対向突片を突設し、これら各突片の係止鉤片を前記枢支体下部の結合部に設けた係止溝に前記各突片の弾力に抗して係入することで、前記結合部に枢支ポストの上部を極く手易くワンタッチで「パチン」と一発定着できると共に、枢支体の前記結合部で前記空心受けと縦軸との抜け止めを施すこともできたので、横連設一体化ロール紙ホルダとしての組立て作業性を大幅に向上したという効果を付加できた。
【考案を実施するための最良の形態】
【００１３】
本考案の実施の形態例について図面を参照して説明するが、先ず、本考案に用いる横連設一体化ロール紙ホルダ１としては、図１・図３のように平面ほぼヨ字状にプラスチックなどで成形し、その左右と中央に下向き突設した左右二対の各枢支体２に対し、それぞれ外力で前後方向に回動後、自己対向復帰可能に枢支した二対のロール紙空心受け３で、トイレットペーパーのようなロール紙４の二つを図１のように左右に分けて図２のように一個ずつ枢支保持する一方、前記ホルダ１の後側内面左右に後部枢軸Ｐ０で起伏可能に枢支した左右の紙切り板Ｐの前辺下面Ｐ１をそれぞれ上記各ロール紙４の上部前寄り外周面に図２のように圧接し、紙切り板前辺下面Ｐ１を経て前方へ繰り出した左右のロール紙４の繰り出し部４Ａをそれぞれ前記紙切り板Ｐの前辺刃先Ｐ２で上記図２のようにカット可能となした横連設一体化ロール紙ホルダ１を本考案では採用できる。
【００１４】
具体的には、前記各枢支体２にロール紙空心受け３を枢支するために、図３・図４のような枢支ポスト５を用いるが、このポスト５には下鍔５Ａと、中心穴５Ｂと、内側開放の切欠５Ｃと、その反対側に形成した縦溝５Ｄと、ポスト上部に突設した対向突片５Ｅと、その係止鉤片５Ｆと、補強突起５Ｇとを上記各図のようにプラスチック成形などで形成する一方、これら各図のような先閉じの偏平Ｕ字状の対向弾片６は、可撓復元性プラスチックで固定基部６Ａと、縦孔６Ｂと、後部止片６Ｃとを一体形成し、弾片基部６Ａを上記縦孔６Ｂに通した縦軸６Ｄにより、前記枢支ポスト５の切欠５Ｃ内でその中心穴５Ｂに図５のように軸止すると共に、上記対向弾片６の前記止片６Ｃを枢支ポスト５の縦溝５Ｄに同図５のように係入することで、前記各枢支ポスト５に対して対向弾片６の固定基部６Ａを不動に支持して横向き突設する。
【００１５】
次いで、前記対向弾片６よりも一回り大きい下部開放の凹所３Ａと基部縦孔３Ｂとを有する図３・図４のような空心受け３の上記縦孔３Ｂを前記枢支ポスト５に通しながら、各空心受け３の上記凹所３Ａを前記対向弾片６に上から被せた枢支状態で、前記各枢支ポスト５の上部に突設した対向突片５Ｅの係止鉤片５Ｆを前記枢支体下部の結合部２Ａに設けた係止溝２Ｂに、その下方から図５・図６のように前記各突片５Ｅの固有弾力に抗して係入し、対向突片５Ｅを図５・図７のように弾力復帰させて上記係止鉤片５Ｆを上記係止溝２Ｂの上縁に一発結合させると共に、前記縦軸６Ｄの上部を上記結合部２Ａの縦孔２Ｄに圧入することで、前記左右の枢支体２に枢支ポスト５を強固に取着することができ、上記ロール紙空心受け３を枢支体２に対し、対向復帰可能に図１のように枢支できた。
【００１６】
なお、枢支体２の下部に枢支ポスト５を一層強固に取着するには、上記の枢支ポスト５の取着構成と共に、枢支体２の下部に図３のように突設した底面ほぼク字状の補強脚２Ｃの下部対向間隙Ｇ内に、前記枢支ポスト５の下鍔５Ａ上に突設した突起５Ｇ（図３・図４参照）を係入させることで、前記左右の枢支体２に枢支ポスト５を補強した状態で、より一層強固に取着することができ、上記ロール紙空心受け３を枢支体２に対し、対向復帰可能に図１のように確実に枢支できる。その後、またはその前に、各空心受け３には、キャップ状の外筒７を図５・図７のように回転可能に被せ、これら各外筒７の中心孔７Ａを枢着ピン８で空心受け３の先端部分に上記各図のよう回転可能に枢支することで、空心受け３に対する外筒７の抜け止めを施した本考案による図１のような横連設一体化ロール紙ホルダ１を構成できた。
【００１７】
本考案の構成は以上のようなもので、以下、その動作に付いて説明すると、横連設一体化ロール紙ホルダ１における左右の枢支体２の下部に対し、前記図１のようにほぼ直角に自己対向復帰状態にある左右の空心受け３に被せた外筒７、７間に、その前方から図８のようにロール紙４を差し入れると、各空心受け３が枢支ポスト５を支点として外筒７と共に前記対向弾片６の原形維持復元弾力に抗し後向きに回動し、各空心受け３の凹所３Ａの側面で、その内部の前記対向弾片６の中間部を上記弾力に抗して後向きに押し動かすため、各対向弾片６は、図８のようにクネリ曲がり、屈曲復元弾力を蓄積した状態となる。
【００１８】
上記ロール紙４をさらに、図８における矢示後方向に動かしてロール紙空心４Ｂ（または芯管４Ｃ）の左右開口縁が外筒７の先端に対向しかかると、上記左右各ロール紙空心受け３がそれぞれ外筒７と共に対向弾片６の上記蓄積済屈曲復元弾力で図１・図９のように上記空心４Ｂ（または芯管４Ｃ）内にそれぞれ突入して原状復帰させることができ、ロール紙４を横連設一体化ロール紙ホルダ１に対し図１・図２・図９のように外筒７と共に回転可能に枢支セットできる。
【００１９】
したがって、上記外筒７に枢支した内径約３０ｍｍ程度の比較的に大径の空心４Ｂを有する芯管無しのロール紙４の空心４Ｂや、芯管４Ｃを有する現用一般のロール紙４の芯管４Ｃがそれぞれ図２・図１０のように不規則な非円形状に変形していても、ロール紙繰り出し時には、それぞれ上記外筒７がロール紙４と共に回転するため、この回転外筒７と上記変形空心４Ｂや芯管４Ｃとの間には擦過摩擦が生じないから、上記二種類のロール紙４を軽快に繰り出すことができ、この繰り出し部は、手指などで千切って使用できる。
【００２０】
ただし、図１のように前記ホルダの後側左右枢支部に係合させた紙切り板Ｐの後部枢軸Ｐ０で起伏回動後した紙切り板Ｐの前辺下面Ｐ１を上記枢支セット済のロール紙４の上部前寄り外周面に、紙切り板Ｐの自己重力などで図２のように圧接保持すれば、上記前辺下面Ｐ１を経て図２のように前方へ繰り出したロール紙４の繰り出し部４Ａを前記紙切り板Ｐの前辺刃先Ｐ２に対し図２矢示のように斜めに引き上げることで、上記繰り出し部４Ａを紙切り板刃先Ｐ２で同図２のようにカットして使用できる。
【００２１】
なお、上記横連設一体化ロール紙ホルダ１から使用済のロール紙芯管４Ｃを取り除くには、ロール紙４が無くなった芯管４Ｃ内に突入している上記左右二つのロール紙空心受け３を前記対向弾片６の屈曲復元弾力に抗し、図１１のように前方斜めに傾けながら使用済芯管４Ｃを手前矢示方向に引き出すことで、使用済芯管４Ｃを横連設一体化ロール紙ホルダ１から取り除けると同時に、上記各空心受け３は外筒７と共に前記のように原状復帰するから、これら対向復帰済の各外筒７に新しいロール紙４を枢支セットできる。
【実施例】
【００２２】
本考案に用いた前記対向弾片６の基部６Ａの枢支ポスト５の切欠５Ｃに対する固定手段としては、前述の縦軸６Ｄと後部止片６Ｃによる固定手段以外に、例えば周知の菊座金付きの雄ねじで基部６Ａを枢支ポスト５に前記切欠５Ｃ内の同一場所に固定したり、対向弾片基部６Ａの平面輪郭形状を角形などの非円形として、この非円形基部６Ａを枢支ポスト５に形成したほぼ同形非円形凹所に無理嵌めして固定したり、その他種々の固定手段で対向弾片６の基部６Ａを枢支ポスト５に固定できる。
【００２３】
なお、前記空心受け３に対して回転可能に被せた外筒７の抜け止め手段としては、前述のような外筒７の中心孔７Ａを枢着ピン８で前記空心受け３の先端部分に枢支して抜け止めを施す代わりに、例えば上記空心受け３の基部外周面に設けたリング溝（または等間隔複数の突起）に外筒７の開口部内周面に設けた等間隔複数の突起（またはリング溝）を外筒固有の弾力に抗してパチンと一発係合させることで、前記空心受け３に対して外筒７を回転可能に抜け止めでき、その他、周知の回転部材の抜け止め手段を採用できる。
【産業上の利用可能性】
【００２４】
本考案による横連設一体化ロール紙ホルダ１は、ロール紙４に近似した他のロール巻きシート状物品全般の繰り出し用ホルダとしても、当然に利用できる。
【図面の簡単な説明】
【００２５】
【図１】本考案の実施形態の一例を示す上方斜視図
【図２】本考案の使用形態の一例を示す縦断側面図
【図３】図１に示すものの分解斜視図
【図４】本考案要部の分解縦断立面図
【図５】本考案要部の拡大縦断立面斜視図
【図６】本考案要部の拡大縦断側面斜視図
【図７】本考案要部の拡大縦断立面斜視図
【図８】本考案の使用例を示す要部切断平面略図
【図９】図８に示すものと状態を異にした要部切断平面略図
【図１０】図２に示すものと状態を異にした縦断側面図
【図１１】図９に示すものと状態を異にした要部切断平面略図
【符号の説明】
【００２６】
１  横連設一体化ロール紙ホルダ
２  枢支体
２Ａ  枢支体下部の結合部
２Ｂ  結合部の係止溝
２Ｃ  枢支体下部の補強脚
２Ｄ  結合部の縦孔
３  ロール紙空心受け
３Ａ  空心受けの下部開放凹所
３Ｂ  空心受け基部の縦孔
４  ロール紙
４Ａ  ロール紙繰り出し部
４Ｂ  ロール紙空心
４Ｃ  ロール紙芯管
５  枢支ポスト
５Ａ  枢支ポストの下鍔
５Ｂ  枢支ポストの中心穴
５Ｃ  内側開放の切欠
５Ｄ  縦溝
５Ｅ  枢支ポストの対向突片
５Ｆ  突片上部の係止鉤片
５Ｇ  補強突起
６  対向弾片
６Ａ  対向弾片の固定基部
６Ｂ  対向弾片基部の縦孔
６Ｃ  対向弾片基部の後部止片
６Ｄ  対向弾片基部に通す縦軸
７  外筒
７Ａ  外筒の中心孔
８  枢着ピン
Ｇ  枢支体下部補強脚の対向間隙
Ｐ  紙切り板
Ｐ０  紙切り板左右の枢軸
Ｐ１  紙切り板の前辺下面
Ｐ２  紙切り板の前辺刃先
【図１】
0003129674.tif 000003
【図２】
0003129674.tif 000004
【図３】
0003129674.tif 000005
【図４】
0003129674.tif 000006
【図５】
0003129674.tif 000007
【図６】
0003129674.tif 000008
【図７】
0003129674.tif 000009
【図８】
0003129674.tif 000010
【図９】
0003129674.tif 000011
【図１０】
0003129674.tif 000012
【図１１】
0003129674.tif 000013